(57)【要約】【課題】パネル収納ケースの表示窓から入り込む外来ノイズに対しても有効な電磁シールド手段を備えた液晶表示装置を提供する。【解決手段】液晶層を挟んで対向的に配置される一対の透明電極基板１１０，１２０を含む液晶表示パネル１００と、液晶表示パネル１００の表示部に対応する部分に表示窓２１１を有する導電性のパネル収納ケース２００とを含み、パネル収納ケース２００内に液晶表示パネル１００が収納される液晶表示装置において、液晶表示パネル１００に含まれる透明電極基板１１０，１２０のうちの表示窓２１１側に配置される観察面側の第１透明電極基板１１０の外表面全体にわたって電磁シールド用の外側透明電極１３１を形成し、この外側透明電極１３１とパネル収納ケースとを導電手段（好ましくは導電ゴム１５０）を介して電気的に接続する。【選択図】図１
2007094219.tif 000002
【特許請求の範囲】
【請求項１】
液晶層を挟んで対向的に配置される一対の透明電極基板を含む液晶表示パネルと、上記液晶表示パネルの表示部に対応する部分に表示窓を有する導電性のパネル収納ケースとを含み、上記パネル収納ケース内に上記液晶表示パネルが収納される液晶表示装置において、
上記一対の透明電極基板のうちの上記表示窓側に配置される観察面側の第１透明電極基板の外表面全体にわたって電磁シールド用の外側透明電極が形成され、上記外側透明電極と上記パネル収納ケースとが導電手段を介して電気的に接続されることを特徴とする液晶表示装置。
【請求項２】
液晶層を挟んで対向的に配置される一対の透明電極基板を含む液晶表示パネルと、上記液晶表示パネルの表示部に対応する部分に表示窓を有する導電性のパネル収納ケースとを含み、上記パネル収納ケース内に上記液晶表示パネルが収納される液晶表示装置において、
上記一対の透明電極基板のうちの上記表示窓側に配置される観察面側の第１透明電極基板の外表面全体にわたって電磁シールド用の第１外側透明電極が形成されるとともに、反観察面側の第２透明電極基板にも、その外表面全体にわたって電磁シールド用の第２外側透明電極が形成され、上記第１外側透明電極と上記第２外側透明電極とが導電手段を介して上記パネル収納ケースと電気的に接続されることを特徴とする液晶表示装置。
【請求項３】
上記導電手段が、上記第１，第２透明電極基板の側面に沿って配置される基部と、それら各透明電極基板の周縁の非表示部で上記第１，第２外側透明電極と接触するように上記基部の両端に形成された一対のフランジとを含む断面コ字状の導電ゴムからなり、上記導電ゴムにより上記第１，第２外側透明電極同士が電気的に接続され、かつ、上記パネル収納ケースと電気的に接続されることを特徴とする請求項２に記載の液晶表示装置。
【請求項４】
上記外側透明電極が、ベタ電極からなる請求項１ないし３のいずれか１項に記載の液晶表示装置。
【請求項５】
上記外側透明電極が、格子状電極もしくは空白部が規則的に形成された孔明き電極からなる請求項１ないし３のいずれか１項に記載の液晶表示装置。
【発明の詳細な説明】
【技術分野】
【０００１】
本発明は、液晶表示パネルをパネル収納ケース内に収納してなる液晶表示装置に関し、さらに詳しく言えば、静電気や電磁波などの外来ノイズによる誤動作を防止する技術に関するものである。
【背景技術】
【０００２】
液晶表示パネルを実際に使用する製品（液晶表示装置）とするには、その周辺機器として制御回路基板などを接続し、透過型もしくは半透過型パネルにあってはバックライトと組み合わせたうえで、パネル収納ケース内に収納するようにしている（例えば、特許文献１参照）。
【０００３】
この種の液晶表示装置は、携帯機器用，車載用など多くの機器に搭載されるが、その使用環境によっては、例えば人体に帯電している静電気や携帯電話機などから放射される電磁波などの外来ノイズによって表示が乱されることがあるため、その対策を講ずる必要がある。
【０００４】
その一例として、従来では、パネル収納ケースに金属製のものを用い、パネル収納ケースを電気的なグラント（接地）として、液晶表示パネルを例えば導電ゴムを介してパネル収納ケースに電気的に接続するようにしている。
【０００５】
【特許文献１】特開２００５−７７７５４（図１）
【発明の開示】
【発明が解決しようとする課題】
【０００６】
しかしながら、パネル収納ケースには、液晶表示パネルの表示部と対応する部分が表示窓として開口されているため、その表示窓から外来ノイズが入り込むと、端子部に液晶駆動ＩＣが実装されているＣＯＧ（ｃｈｉｐ  ｏｎ  ｇｌａｓｓ）型の液晶表示パネルにあっては、その液晶駆動ＩＣが誤動作することがある。
【０００７】
したがって、本発明の課題は、パネル収納ケースの表示窓から入り込む外来ノイズに対しても有効な電磁シールド手段を備えた液晶表示装置を提供することにある。
【課題を解決するための手段】
【０００８】
上記課題を解決するため、請求項１に記載の発明は、液晶層を挟んで対向的に配置される一対の透明電極基板を含む液晶表示パネルと、上記液晶表示パネルの表示部に対応する部分に表示窓を有する導電性のパネル収納ケースとを含み、上記パネル収納ケース内に上記液晶表示パネルが収納される液晶表示装置において、上記一対の透明電極基板のうちの上記表示窓側に配置される観察面側の第１透明電極基板の外表面全体にわたって電磁シールド用の外側透明電極が形成され、上記外側透明電極と上記パネル収納ケースとが導電手段を介して電気的に接続されることを特徴としている。
【０００９】
また、上記課題を解決するため、請求項２に記載の発明は、液晶層を挟んで対向的に配置される一対の透明電極基板を含む液晶表示パネルと、上記液晶表示パネルの表示部に対応する部分に表示窓を有する導電性のパネル収納ケースとを含み、上記パネル収納ケース内に上記液晶表示パネルが収納される液晶表示装置において、上記一対の透明電極基板のうちの上記表示窓側に配置される観察面側の第１透明電極基板の外表面全体にわたって電磁シールド用の第１外側透明電極が形成されるとともに、反観察面側の第２透明電極基板にも、その外表面全体にわたって電磁シールド用の第２外側透明電極が形成され、上記第１外側透明電極と上記第２外側透明電極とが導電手段を介して上記パネル収納ケースと電気的に接続されることを特徴としている。
【００１０】
請求項３に記載の発明は、上記請求項２において、上記導電手段が、上記第１，第２透明電極基板の各側面に沿って配置される基部と、それら各透明電極基板の周縁の非表示部で上記第１，第２外側透明電極と接触するように上記基部の両端に形成された一対のフランジとを含む断面コ字状の導電ゴムからなり、上記導電ゴムにより上記第１，第２外側透明電極同士が電気的に接続され、かつ、上記パネル収納ケースと電気的に接続されることを特徴としている。
【００１１】
上記請求項１ないし３のいずれか１項において、請求項４に記載のように、上記外側透明電極はベタ電極であってもよいし、また、請求項５に記載のように、格子状電極もしくは空白部が規則的に形成された孔明き電極としてもよい。
【発明の効果】
【００１２】
請求項１に記載の発明によれば、観察面側の第１透明電極基板の外表面全体にわたって電磁シールド用の外側透明電極が形成され、その外側透明電極とパネル収納ケースとが導電手段を介して電気的に接続されることにより、パネル収納ケースの表示窓から外来ノイズが入り込んでも、その外来ノイズが外側透明電極からパネル収納ケース（グランド）に逃されるため、液晶表示パネルの表示が乱されることはない。
【００１３】
また、請求項２に記載の発明によれば、観察面側の第１透明電極基板の外表面全体にわたって電磁シールド用の第１外側透明電極が形成されるとともに、反観察面側の第２透明電極基板にも、その外表面全体にわたって電磁シールド用の第２外側透明電極が形成され、それら第１外側透明電極と第２外側透明電極とが導電手段を介してパネル収納ケースと電気的に接続されることにより、上記請求項１による効果に加えて、液晶表示パネルの背面側に設けられる制御回路基板側からのノイズによる悪影響をも防止することができる。
【００１４】
請求項３に記載の発明によれば、上記請求項２における導電手段として、第１，第２透明電極基板の各側面に沿って配置される基部と、それら各透明電極基板の周縁の非表示部で第１，第２外側透明電極と接触するように上記基部の両端に形成された一対のフランジとを含む断面コ字状の導電ゴムを用い、この導電ゴムにより第１，第２外側透明電極同士を電気的に接続し、かつ、パネル収納ケースと電気的に接続するようにしたことにより、組立時に第１，第２外側透明電極同士を容易に接続することができるとともに、導電ゴムの弾力性により耐落下衝撃性も向上する。
【発明を実施するための最良の形態】
【００１５】
次に、図１ないし図４により、本発明の実施形態について説明するが、本発明はこれに限定されるものではない。図１は本発明の液晶表示装置の内部構造を正面側から見た断面図，図２は上記内部構造を側面側から見た断面図，図３（ａ）は本発明に含まれる液晶表示パネルの平面図，（ｂ）（ｃ）はその側面図および正面図，図４（ａ）は液晶表示パネルに導電ゴムを装着した状態を示す平面図，（ｂ）はその要部拡大断面図である。
【００１６】
図１，図２に示すように、この液晶表示装置は、基本的な構成として、液晶表示パネル１００と、パネル収納ケース２００とを備えるが、この例での液晶表示パネル１００は、透過型もしくは半透過型であるため、さらにバックライト３００を備える。
【００１７】
パネル収納ケース２００は、液晶表示パネル１００の表示部を露出させるための表示窓２１１を有する底面が開口されたケース本体２１０と、ケース本体２１０の底面を塞ぐ裏蓋２２０とを有し、本発明ではノイズ対策として導電性であることが要求されるため、その全体が金属材からなることが好ましいが、導電性合成樹脂製としてもよい。
【００１８】
この例において、パネル収納ケース２００は、そのケース内に配置されるホルダ２３０を備え、液晶表示パネル１００とバックライト３００は、あらかじめホルダ２３０内で組み立てられた状態でパネル収納ケース２００内に収納される。ホルダ２３０は合成樹脂製であってよい。また、ホルダ２３０は図示しないスペーサなどを介してパネル収納ケース２００内に固定的に配置される。
【００１９】
図３を参照して、液晶表示パネル１００は、対向的に配置される第１透明電極基板１１０と第２透明電極基板１２０の２枚の透明電極基板を備える。図示しないが、第１透明電極基板１１０と第２透明電極基板１２０は、その対向する内面に表示用の透明電極が形成され、液晶層を挟んだ状態で周辺シール材を介して貼り合わされている。
【００２０】
この例によると、液晶表示パネル１００はＣＯＧ型であって、例えば第１透明電極基板１１０側に連設されている端子部１１１に液晶駆動用の例えばＬＳＩからなるチップ部品１１２が実装されている。また、図２に示すように、端子部１１１にはフレキシブル基板１６０を介して制御回路基板１７０が接続される。
【００２１】
第１透明電極基板１１０がパネル収納ケース２００の表示窓２１１側に配置される観察面側の基板であるとすると、本発明では、少なくとも第１透明電極基板１１０の外表面全体にわたって電磁シールド用の外側透明電極１３１が形成され、外側透明電極１３１は例えば導電ゴムなどの導電手段を介してパネル収納ケース２００と電気的に接続される。この電磁シールド用の外側透明電極１３１は、第１透明電極基板１１０の外表面の少なくとも表示部の部分に形成されればよいが、外側透明電極１３１をさらに端子部１１１側にかけて形成してもよい。
【００２２】
これにより、表示窓２１１から入り込む静電気や電磁波などの外来ノイズは、外側透明電極１３１からグランドとしてのパネル収納ケース２００に流されるため、外来ノイズによる表示の乱れが防止される。
【００２３】
本発明のさらに好ましい態様によれば、反観察面（裏面）側の第２透明電極基板１２０にも、その外表面全体にわたって電磁シールド用の外側透明電極１３２が形成される。なお、外側透明電極１３１，１３２を形成したのち、第１透明電極基板１１０と第２透明電極基板１２０の表示部上には、それぞれ偏光膜１４１，１４２が貼着される。場合によっては、さらに位相差フィルムが貼着されてもよい。
【００２４】
上記外側透明電極１３１，１３２同士を電気的に接続し、かつ、パネル収納ケース２００と電気的に接続するため、図４（ａ）に示すように、液晶表示パネル１００の両側辺に導電ゴム１５０，１５０が装着される。
【００２５】
この導電ゴム１５０は、図４（ｂ）の断面図に示すように、第１，第２透明電極基板１１０，１２０の各側面に沿って配置される基部１５１と、第１，第２透明電極基板１１０，１２０の周縁の非表示部で上記第１，第２外側透明電極１３１，１３２と接触するように上記基部１５１の両端に形成された一対のフランジ１５２，１５３とを有する断面コ字状体からなる。
【００２６】
なお、各導電ゴム１５０は、図４（ａ）に示すように、液晶表示パネル１００の側辺の全長にわたって装着される長さを有する帯状であることが好ましいが、液晶表示パネル１００の側辺に対して部分的に装着されてもよい。
【００２７】
この例に用いられているバックライト３００は、図１，図２に示すようにサイドライト型であって、例えばアクリル樹脂からなる導光板３１０と、導光板３１０の側方に配置される発光ダイオード３２０と、導光板３１０の光出射面上に配置される光学フィルム３３０とを備えた構成であってよく、通常、光学フィルム３３０には、光拡散フィルム３３１や輝度上昇フィルム３３２などが含まれる。
【００２８】
この液晶表示装置を組み立てるには、まず、ホルダ２３０内にバックライト３００を収納したのち、その上に、上記第１，第２外側透明電極１３１，１３２同士を導電ゴム１５０，１５０により導通させた液晶表示パネル１００を載置し、制御回路基板１７０をホルダ２３０の底部に配置し図示しない両面粘着テープなどで固定する。
【００２９】
そして、液晶表示パネル１００の表示部（偏光膜１４１，１４２が貼着されている部分）を上記表示窓２１１と位置合わせし、導電ゴム１５０，１５０のフランジ１５２，１５２をケース本体２１０の内面に接触させてホルダ２３０をケース本体２１０内に配置し、図示しないスペーサなどを介してホルダ２３０を押し付けながら、ケース本体２１０の底面に裏蓋２２０を取り付けて、図１の状態とする。
【００３０】
これにより、電磁シールド用の上記第１，第２外側透明電極１３１，１３２がともにパネル収納ケース２００と電気的に接続されるため、上記したように表示窓２１１から入り込む静電気や電磁波などの外来ノイズは、外側透明電極１３１からグランドとしてのパネル収納ケース２００に流される。
【００３１】
また、制御回路基板１７０にインバータなどのノイズ発生源が搭載されていて、そのノイズ発生源から仮に高周波ノイズが放射されたとしても、液晶表示パネル１００の裏面側には第２外側透明電極１３２が存在するため、そのノイズによる上記チップ部品１１２の誤動作が防止される。さらに、導電ゴム１５０，１５０の弾力性により耐落下衝撃性も向上する。
【００３２】
以上、図示の例に基づいて本発明を説明したが、外側透明電極１３１，１３２はベタ電極であることが好ましいが、格子状電極もしくは空白部が規則的に形成された孔明き電極であってもよい。また、液晶表示パネル１００はバックライトを必要としない反射型であってもよい。
【００３３】
また、パネル収納ケース２００をケース本体２１０と裏蓋２２０とを有するケースとしているが、裏蓋が他の機器の基板部材などによって兼用されるようなケースであってもよい。さらに、ホルダ２３０を用いることなく、パネル収納ケース２００内で、液晶表示パネル１００とバックライト３００とを直接組み合わせるようにしてもよい。
【図面の簡単な説明】
【００３４】
【図１】本発明の液晶表示装置の内部構造を正面側から見た断面図。
【図２】上記内部構造を側面側から見た断面図。
【図３】（ａ）本発明に含まれる液晶表示パネルの平面図，（ｂ）側面図，（ｃ）正面図。
【図４】（ａ）液晶表示パネルに導電ゴムを装着した状態を示す平面図，（ｂ）その要部拡大断面図。
【符号の説明】
【００３５】
１００  液晶表示パネル
１１０，１２０  透明電極基板
１１１  端子部
１１２  チップ部品
１３１，１３２  外側透明電極
１４１，１４２  偏光膜
１５０  導電ゴム
１５１  基部
１５２，１５３  フランジ
１６０  フレキシブル基板
１７０  制御回路基板
２００  パネル収納ケース
２１０  ケース本体
２１１  表示窓
２２０  裏蓋
３００  バックライト
３１０  導光板
３２０  発光ダイオード
３３０  光学フィルム
【図１】
2007094219.tif 000003
【図２】
2007094219.tif 000004
【図３】
2007094219.tif 000005
【図４】
2007094219.tif 000006